(57)【特許請求の範囲】
【請求項１】
一端を電気掃除機本体に接続し他端に握り部を形成した先端パイプを有するホ−スを介して掃除機本体に連通される延長管と、当該延長管と吸込具との間に介在する接続パイプとを備え、前記延長管を前記本体に保持させる別体の保持具を、締結用ビスを介して前記接続パイプの延長管側に嵌合取り付け、取り外し自在に配設すると共に、前記保持具に形成した係止体にて前記接続パイプの外周壁に形成した穴部を貫通させ、前記係止体と前記延長管に形成した保持体とを嵌合させて、前記接続パイプを前記延長管に固定した電気掃除機。
【請求項２】
接続パイプに保持具を固定した状態にて延長管に接続パイプを圧入嵌合し、接続パイプから保持具を取り外すことにより延長管から接続パイプが外れるようにした請求項１に記載の電気掃除機。
【請求項３】
保持具に形成した係止体は、保持具の締めつけ位置に対し径方向に相対面する位置に設け、また軸方向にも圧入方向に対し下方にてかつ一定の間隔を設けた位置に形成した請求項２記載の電気掃除機。
【発明の詳細な説明】
【０００１】
【産業上の利用分野】
本発明は、家庭にて使用される電気掃除機に関するものである。
【０００２】
【従来の技術】
この種の電気掃除機の延長管は、特開平２−１３６１１５号公報に示されており、その構成を図９に示す。すなわち電気掃除機の本体９に接続したホ−ス１の他端に手元ハンドル２を設け、床ノズル３と手元ハンドル２との間を吸気通路を成す延長管４にて連結している。この延長管４は、ほぼ同形状の延長管Ａ５と延長管Ｂ６の２本を連結して構成していた。また延長管Ｂ６には保持具７を取りつけていて、掃除機本体を収納するときにはこの保持具７を掃除機本体の凹部８に差しこみ延長管４を立てた状態にて収納していた。
【０００３】
【発明が解決しようとする課題】
近年、日本人の平均身長も高くなり、身長の高い人も多くなっている。このような人たちがより使用しやすい掃除機にするには延長管４を長くする必要がある。しかしながら従来の構成では、延長管Ａ５、延長管Ｂ６を長くして対応すると梱包形態も大きくなり商品を輸送しにくい等の問題があった。この課題に対応するためにさらに１本の延長管を従来の延長管Ａ５、延長管Ｂ６に追加接続して延長管全体の長さを長く構成していた。しかしながらこの構成においても追加した１本の延長管が掃除作業中に外れやすい等の課題があった。
【０００４】
本発明は上記課題を解決するもので、外れにくい延長管を提供することを第１の目的としている。
【０００５】
第２の目的は、取り外しやすい延長管の接続構成を提供することにある。
【０００６】
第３の目的は、取りつけやすい延長管の接続構成を提供することにある。
【０００７】
【課題を解決するための手段】
上記目的を達成するための本発明の第１の手段は、一端を電気掃除機本体に接続し他端に握り部を形成した先端パイプを有するホ−スを介して掃除機本体に連通される延長管と、当該延長管と吸込具との間に介在する接続パイプとを備え、前記延長管を前記本体に保持させる別体の保持具を、締結用ビスを介して前記接続パイプの延長管側に嵌合取り付け、取り外し自在に配設すると共に、前記保持具に形成した係止体にて前記接続パイプの外周壁に形成した穴部を貫通させ、前記係止体と前記延長管に形成した保持体とを嵌合させて、前記接続パイプを前記延長管に固定したものである。
【０００８】
又第２の手段は、接続パイプに保持具を固定した状態にて延長管に接続パイプを圧入嵌合し、接続パイプから保持具を取り外すことにより延長管から接続パイプが外れる構成としたものである。
【０００９】
そして第３の手段は、保持具に形成した係止体は、保持具の締めつけ位置に対し径方向に相対面する位置に設け、また軸方向にも圧入方向に対し下方にてかつ一定の間隔を設けた位置に形成したものである。
【００１０】
【作用】
本発明は、上記した第１の手段により、延長管を本体に保持させる保持具を活用し、接続パイプに保持具を取りつけ、保持具に形成した係止体と、延長管に形成した保持体とを嵌合し接続パイプを延長管に固定するので、接続パイプが確実に延長管に固定される。よって掃除作業中に吸込具を前後に動かす動作や、また吸込具が家具の角や柱などに当たり衝撃的な力が接続パイプに加わっても延長管から接続パイプが外れる事がない。さらに接続パイプに形成した穴部を、前記保持具に形成した係止体にて接続パイプの外周壁を貫通して延長管に形成した保持体と嵌合し延長管に固定するので、上記内容がさらに強固に固定できる。
【００１１】
また、第２の手段により、まず接続パイプを延長管に取りつけるときは、接続パイプに保持具を固定した状態にて延長管に圧入すると、保持具に形成した係止体と、延長管に形成した保持体とが嵌合し確実に接続パイプが固定される。次に掃除機を保管するときなど接続パイプを取り外したいときには、保持具を取り外す事により延長管から簡単に接続パイプが外れる。
【００１２】
また、第３の手段により、保持具に形成した係止体を、保持具の締めつけ位置に対し径方向に相対面する位置に設け、また軸方向にも圧入方向に対し下方にてかつ一定の間隔を設けた位置に形成した事により、保持具の構成及び材料の弾性を有効に活かす事が出来るので接続パイプの圧入を楽にかつ確実に行える。さらに保持具に形成した係止体と延長管に形成した保持体の嵌合する範囲内に接続パイプと延長管との圧入の誘い溝を設けた事により、延長管のごみが通る内径を小さくする事なく誘い溝を構成できる。かつ係止体の内径と略同一内径に誘い溝を形成しているので延長管のごみ通路内に突出した係止体にごみが引っ掛かりにくい。
【００１３】
【実施例】
以下、本発明の第１、第２、第３の手段による一実施例を図面に基づいて説明する。図１、図２、図３、図４、図５、図６において、１１は一端を電気掃除機の本体１２に接続したホ−スで、他端に握り部を形成した先端パイプ１３を取りつけている。１４はこのホ−ス１１を介して電気掃除機の本体１２に接続される延長管であり、この延長管１４には、本体１２に一体に設けた保持穴１５に挿入され延長管１４を本体１２に保持させる樹脂材料にて形成した保持具１６を備えている。１７は、吸込具１８を挿入し取りつける接続パイプであり保持具１６にて延長管１４に締結固定されている。この固定方法は保持具１６に一体に形成した係止体１９が接続パイプ１７に設けた穴部２０を貫通し延長管１４に形成した凹状態の保持体２１に嵌合し保持される。この係止体１９と保持体２１とはそれぞれに傾斜部２２と誘い部２３とを設け、接続パイプ１７に保持具１６を締結した状態にて延長管１４に圧入し嵌合する。２４は保持具１６を接続パイプ１７に締結するためのビスである。保持具１６に形成した係止体１９はビス２４に対し径方向に相対面する位置に設け、また軸方向にも圧入方向に対し下方にてかつ一定の間隔Ａを設けた位置に形成している。２５は接続パイプ１７に一体に形成した凸部であり、接続パイプ１７に設けている穴部２０の略中央に位置している。２６は凸部２５の誘い溝を成す凹部であり延長管１４に形成した保持体２１の略中央に設けている。この凹部２６の内径Ｂは係止体１９の内径と略同一径としている。
【００１４】
上記構成による作用は以下の通りである。第１の解決手段において接続パイプ１７は延長管１４を本体１２に保持させる保持具１６を活用しこれに形成した係止体１９と、延長管１４に形成した保持体２１とを嵌合し延長管１４に固定するので、接続パイプ１７が確実に延長管１４に固定される。よって掃除作業中に吸込具１８を前後に動かす動作や、また吸込具１８が家具の角や柱などに当たり衝撃的な力が接続パイプ１７に加わっても延長管１４から接続パイプ１７が外れる事がない。さらに接続パイプ１７に形成した穴部２０を、前記保持具１６に形成した係止体１９にて接続パイプ１７の外周壁を貫通して延長管１４に形成した保持体２１と嵌合し延長管１４に固定するので、上記内容がさらに強固に固定できる。
【００１５】
また、第２の手段により、まず接続パイプ１７を延長管１４に取りつけるときは、接続パイプ１７に保持具１６を固定した状態にて延長管１４に圧入すると、保持具１６に形成した係止体１９と、延長管１４に形成した保持体２１とが傾斜部２２と誘い部２３とによりスム−ズに嵌合し確実に接続パイプ１７が固定される。次に掃除機を保管するときなど接続パイプ１７を取り外したいときには、保持具１６のビス２４を取り外す事により延長管１４から簡単に接続パイプ１７が外れる。
【００１６】
また、第３の手段により、保持具１６に形成した係止体１９を、保持具１６のビス２４の締めつけ位置に対し径方向に相対面する位置に設け、また軸方向にも圧入方向に対し下方にてかつ一定の間隔Ａを設けた位置に形成した事により、保持具１６の構成及び材料の弾性を有効に活かす事が出来るので接続パイプ１７の圧入を楽にかつ確実に行える。さらに保持具１６に形成した係止体１９と延長管１４に形成した保持体２１の嵌合する範囲内に接続パイプ１７と延長管１４との圧入の誘い溝を成す凹部２６を設けた事により、延長管１４のごみが通る内径を小さくする事なく凹部２６を構成できる。かつ係止体１９の内径と略同一内径に凹部２６を形成しているので延長管１４のごみ通路内に突出した係止体１９にごみが引っ掛かりにくい。
【００１７】
次に第４の手段による一実施例を図面に基づいて説明する。図７、図８において、３０は吸込具を取りつける接続パイプであり、係止体３１を一体に形成している。この係止体３１は樹脂の弾性を活用できるように外周面より薄肉に形成した取りつけ座３２の中央部に設けている。３３はこの係止体３１と嵌合する保持体であり、延長管３４に一体に設けている。３５は延長管３４を掃除機の本体に保持させる保持具でありビスにて接続パイプ３０に締結固定している。
【００１８】
上記構成による作用は以下の通りである。延長管３４に取りつける接続パイプ３０に弾性を有する係止体３１を形成し、延長管３４に形成した保持体３３を嵌合させこの嵌合部の外周面を保持具３５にて固定した事により、この延長管３４を別の掃除機本体に使うときには保持具３５の接続パイプ３０への取りつけ位置を寸法Ｃの範囲で掃除機本体に合った寸法に合わすことにより安定した延長管３４の本体への保持が可能となる。また、接続パイプ３０の係止体３１には穴を必要としないので掃除作業において空気漏れが発生する事も無く嵌合部の構成も簡単に出来る。
【００１９】
【発明の効果】
上述した説明から明らかなように本発明の第１の手段によれば、接続パイプに延長管を本体に保持させる保持具を取りつけ、保持具に形成した係止体と、延長管に形成した保持体とを嵌合し接続パイプを延長管に固定するので、接続パイプが確実に延長管に固定される。よって掃除作業中に吸込具を前後に動かす動作や、また吸込具が家具の角や柱などに当たり衝撃的な力が接続パイプに加わっても延長管から接続パイプが外れる事がない。さらに接続パイプに穴部を形成し、保持具に形成した係止体にてこの穴部を貫通して延長管に形成した保持体と嵌合し接続パイプを延長管に固定するので、上記内容がさらに強固に固定できる。
【００２０】
また第２の手段によれば、まず接続パイプを延長管に取りつけるときは、接続パイプに保持具を固定した状態にて延長管に圧入すると、保持具に形成した係止体と、延長管に形成した保持体とが嵌合し確実に接続パイプが固定される。次に掃除機を保管するときなど接続パイプを取り外したいときには、保持具を取り外す事により延長管から簡単に接続パイプが外れる。
【００２１】
また第３の手段によれば、保持具に形成した係止体を、保持具の締めつけ位置に対し径方向に相対面する位置に設け、また軸方向にも圧入方向に対し下方にてかつ一定の間隔を設けた位置に形成した事により、保持具の構成及び材料の弾性を有効に活かす事が出来るので接続パイプの圧入を楽にかつ確実に行える。
【図面の簡単な説明】
【図１】  本発明の第一実施例を示す延長管を取り付けた電気掃除機の外観斜視図
【図２】  同接続パイプの接続関係を示す一部破断側面図
【図３】  同延長管の側面図
【図４】  同延長管の要部拡大図
【図５】  （ａ）同保持具の平面図
（ｂ）同保持具の断面図
【図６】  同延長管の一部破断側面図
【図７】  本発明の第二実施例を示す電気掃除機の延長管の接続関係説明図
【図８】  同延長管の要部断面図
【図９】  従来の延長管を取り付けた電気掃除機の外観斜視図
【符号の説明】
１１  ホ−ス
１２  本体
１４  延長管
１６、３５  保持具
１７、３０  接続パイプ
１９、３１  係止体
２０  穴部
２１、３３  保持体
２５  凸部
２６  凹部
【図１】
0003777625.tif 000002
【図２】
0003777625.tif 000003
【図３】
0003777625.tif 000004
【図４】
0003777625.tif 000005
【図５】
0003777625.tif 000006
【図６】
0003777625.tif 000007
【図７】
0003777625.tif 000008
【図８】
0003777625.tif 000009
【図９】
0003777625.tif 000010